(57)【要約】      （修正有）【課題】容易に且つ極めて安価に製作ができると共に外観が美しく堅牢であるフォトフレームを提供する。【解決手段】裏面板１０ａと表面板２０ａを有するフォトフレームにおいて、裏面板と表面板との間の両側部と底部に、間隙形成枠３０ａを密着介設して所定間隙のフォト収容スペースと挿出入口５０ａを形成したサンドウイッチ構造にし、表面板に窓２１ａを形成し、間隙形成枠は、一方の側部と底部用を一体にしたＬ型枠と、他方の側部用のＩ型枠とからなる二分割にし、或いは両側用と底部用の枠からなる三分割にし、表面板に形成する窓は円形、楕円形、矩形、ハート形、ダイヤ形等にし、表面板に形成する窓又は間隙形成枠は、プレス抜型により形成し、表面板に形成する窓の内側に透明板を配置したことを特徴とする。【選択図】図１
0003195905.tif 000002
【実用新案登録請求の範囲】
【請求項１】
裏面板と表面板を有するフォトフレームにおいて、前記裏面板と表面板との間の両側部と底部に、間隙形成枠を密着介設して所定間隙のフォト収容スペースと挿出入口を形成し、前記表面板に窓を形成したことを特徴とするフォトフレーム。
【請求項２】
前記間隙形成枠は、一方の側部枠と底部枠を一体にしたＬ型枠と、他方の側部枠のＩ型枠とからなる二分割にしたことを特徴とする請求項１に記載のフォトフレーム。
【請求項３】
前記間隙形成枠は、両側枠と底部枠からなる三分割にしたことを特徴とする請求項１に記載のフォトフレーム。
【請求項４】
前記表面板に形成する窓は円形、楕円形、矩形、ハート形、ダイヤ形にしたことを特徴とする請求項１〜３に記載のフォトフレーム。
【請求項５】
前記表面板とそれに形成する窓及び前記間隙形成枠は、プレス抜型により形成してなることを特徴とする請求項１〜４に記載のフォトフレーム。
【請求項６】
前記表面板に形成する窓の内側に透明板を配置したことを特徴とする前記請求項１〜５に記載のフォトフレーム。
【考案の詳細な説明】
【技術分野】
【０００１】  本考案は、容易に且つ極めて安価に製作ができると共に外観が美しく堅牢であるフォトフレームに関するものである。
【背景技術】
【０００２】  一般の写真用或いは神社飾り具等に用いるフォトフレームは、第一に容易に且つ安価に製作ができることであり、第二に外観が美麗で堅牢であることなどが要求される。【０００３】  従来、フォトフレームの一般構造は、四周の額縁の裏側に押え板を着脱自在に設け、表面に透明のガラスか樹脂板を内側から着脱自在に設けた収納ケース型のものが主体である。他に複雑構造で高級感もあり写真を立体的に飾るフォトフレームも存在する。
【考案の開示】
【考案が解決しようとする課題】
【０００４】  しかしながら、これらの従来のフォトフレームは、いずれも部品が多いためその加工工数多く且つ作業が煩雑である。また構造が複雑であるため組み立て作業工数も多く煩雑である。これらの理由から製作コストが非常に高額となる。
本考案は、この問題を解決し、部品及び加工工数を極小にし、且つ構造を簡単にして組み立て作業を簡易にて製作コストを大幅に低減することができるばかりか、外観がスマートで美麗で堅牢であるフォトフレームを提供するものである。
【課題を解決するための手段】
【０００５】  本考案は上記目的を達成する新規なフォトフレームでありその特徴とする技術条件は次の（１）〜（６）の通りである。
（１）、裏面板と表面板を有するフォトフレームにおいて、前記裏面板と表面板との間の両側部と底部に、間隙形成枠を密着介設して所定間隙のフォト収容スペースと挿出入口を形成し、前記表面板に窓を形成したことを特徴とするフォトフレーム。【０００６】  （２）、前記間隙形成枠は、一方の側部枠と底部枠を一体にしたＬ型枠と、他方の側部枠のＩ型枠とからなる二分割にしたことを特徴とする前記（１）に記載のフォトフレーム。【０００７】  （３）、前記間隙形成枠は、両側枠と底部枠からなる三分割にしたことを特徴とする前記（１）に記載のフォトフレーム。【０００８】  （４）、前記表面板に形成する窓は円形、楕円形、矩形、ハート形、ダイヤ形等にしたことを特徴とする前記（１）〜（３）に記載のフォトフレーム。【０００９】  （５）、前記表面板とそれに形成する窓及び前記間隙形成枠は、プレス抜型により形成してなることを特徴とする前記（１）〜（４）に記載のフォトフレーム。
（６）、前記表面板に形成する窓の内側に透明板を配置したことを特徴とする前記（１）〜（５）に記載のフォトフレーム。【００１０】＜定義について＞
本考案のフォトフレームとは、人物写真、思い出の写真、四季折々の景色写真、その他の写真や絵画等の他に、信仰に関係するご神体像や文言や写真等を収めるものである。
またフォトフレームの材質は、木材、合板、その他無垢板、樹脂板、軽量金属板などであればよい。
また、本考案のフォトフレームにおいて、表面板に形成する窓の内側に配置する透明板は、薄い樹脂板、薄いガラス板等があげられる。
また、本考案のフォトフレームにおいて、写真等の収容物に応じて表面板、裏面板、間隙形成枠等の形状、或いは透明板や刳り貫き等の窓の形状、その他の飾りなどを適宜考慮すればよく、上記の例に限定するものでなく自由に選定すればよい。
【考案の効果】
【００１１】  本考案のフォトフレームは、次の優れた作用効果を有する。
即ち、本考案のフォトフレームは、窓を有する前記表面板と前記裏面板と前記間隙形成枠の極めて少ない部材により一体的にサンドイッチ状にした簡単な構成のため、堅牢で美麗に、しかも製作及び組み立て工数を極限に少なくして製作コストを大幅に低減し安価で市場に提供できるものである。また、この構造により、写真等を表面板と裏面板の間に、損傷させることなく円滑且つ簡単に挿出入することができる。このため収容物の交換も極めて簡単で安全である等の優れた作用効果を呈するものである。
【図面の簡単な説明】
【００１２】
【図１】本考案のフォトフレームの実施例１を示す鳥瞰図である。
【図２】本考案のフォトフレームの実施例１の部品を紹介する説明図である。
【図３】本考案のフォトフレームの実施例２を示す鳥瞰図である。
【図４】本考案のフォトフレームの実施例２の部品を紹介する説明図である。
【考案を実施するための形態】
【００１３】  本考案を実施するための形態を次の実施例により詳細に説明する。
【実施例１】
【００１４】  実施例１のフォトフレーム１００−１は、木目調の綺麗な木製の６ｍｍの裏面板１０ａと合板製の２ｍｍの表面板２０ａを有し、前記裏面板１０ａと表面板２０ａとの間の両側部と底部に、間隙形成枠３０ａを密着介設して所定間隙のフォト収容スペース４０ａと挿出入口５０ａを形成したサンドイッチ構造にし、前記表面板２０ａに窓２１ａを形成してある。【００１５】  前記間隙形成枠３０ａは、一方の側部枠３１ａと底部枠３２ａを一体にしたＬ型枠と、他方の側部枠３３ａ（Ｉ型枠）とからなる二分割にしたものであり、製作に当たっては一枚の合板からＬ型枠とＩ型枠をプレス抜型により無駄なく効率よく美麗に安価に形成製作することができる。また裏面板１０ａと表面板２０ａとの組み合わせの際の、寸法合わせや角などはサンドペーパやサンダー等で面取りするなど簡単に可能である。【００１６】  前記表面板２０ａに形成する窓２１ａは、プレス抜型により美麗な楕円形にしてあるが、本例に限らず円形、矩形、ハート形、ダイヤ形などに適宜な形にすることができる。【００１７】  そしてこの窓の裏側つまりフォト収容スペース４０ａの前面には透明で柔軟性のある樹脂板６１を配置してフォト収容スペース４０ａに併わせて挿入する写真等６２ａの汚損を防止すると共に、写真等６２ａの見栄え（みばえ）を良くする。
【実施例２】
【００１８】  実施例２のフォトフレーム１００−２は、木目調の綺麗な木製の６ｍｍの裏面板１０ｂと合板製の２ｍｍの表面板２０ｂを有し、前記裏面板１０ｂと表面板２０ｂとの間の両側部と底部に、間隙形成枠３０ｂを密着介設して、所定間隙のフォト収容スペース４０ｂと挿出入口５０ｂを形成したサンドイッチ構造にし、前記表面板２０ｂに窓２１ｂを形成してある。【００１９】  前記間隙形成枠３０ｂは、両側用の側部枠３１ｂ、３３ｂと底部枠３２ｂの三分割にして連結したものであり、製作に当たってはプレス抜型により前記の実施例１に比して１工程増すのみで美麗に安価に形成製作することができる。また前記裏面板１０ｂと表面板２０ｂとの組み合わせの際の、寸法合わせや角などはサンダー等で面取りするなど簡単に可能である。【００２０】  本例の間隙形成枠３０ｂは、両側用の枠３１ｂ、３３ｂの下部間に底部用の枠３２ｂを挟持した状態で連結してある。この他に底部用の枠３２ｂの両端部の上に両側用の枠３１ｂ、３３ｂの下端部を乗せた状態で連結してもよく。両側用の枠３１ｂ、３３ｂの下端部と底部用の枠３２ｂの両端部とを斜交い（はすかい）に連結しても良い。【００２１】  前記表面板２０ｂに形成する窓２１ｂは、プレス抜型により角を丸みにした美麗な矩形にしてあるが、本例に限らず円形、楕円形、ハート形、ダイヤ形などに適宜な形にすることができる。【００２２】  そしてこの窓２１ｂの裏側つまりフォト収容スペース４０ｂの前面には透明で柔軟性のある樹脂板６１ｂを配置してフォト収容スペース４０ｂに併わせて挿入する写真等６２ｂの汚損を防止すると共に、写真等６２ｂの見栄え（みばえ）を良くする。【００２３】  実施例１及び実施例２における各フォトフレーム１００−１，１００−２は、裏面板に適宜な衝立具や吊り下げ具、或いは適宜なスタンドを付設することができる。
【産業上の利用可能性】
【００２４】  このように本考案のフォトフレームは、前述の優れた作用効果があり、一般家庭用のフォトフレームはもとより神社や弁天などの信仰業界でのフォトフレームにも有利に活用することができる等写真業界、観光業界等に貢献すること多大なものがある。
【符号の説明】
【００２５】  １００−１、１００−２：フォトフレーム
１０ａ、１０ｂ：裏面板
２０ａ、２０ｂ：表面板
３０ａ、３０ｂ：間隙形成枠
４０ａ、４０ｂ：フォト収容スペース
５０ａ、５０ｂ：挿出入口
３１ａ、３１ｂ：一方の側部枠
３２ａ、３２ｂ：底部枠
３３ａ、３３ｂ：他方の側部枠
２１ａ、２１ｂ：窓
６１ａ、６１ｂ：樹脂板
６２ａ、６２ｂ：写真等
【図１】
0003195905.tif 000003
【図２】
0003195905.tif 000004
【図３】
0003195905.tif 000005
【図４】
0003195905.tif 000006